(57)【要約】【課題】  音響装置に取り付けられるハンドルをバスレフポートとして利用する。【解決手段】  少なくともスピーカが備えられた本体部と、上記本体部に対して取り付けられたハンドル部とを有する音響装置において、上記ハンドル部に、内部空間が形成されると共に所要部分に音抜け孔が形成されるようにし、その上で、上記ハンドル部の内部空間が、上記本体部に形成されたスピーカ背面空間と連通されるようにする。これにより、上記ハンドル部に設けられた上記音抜け孔からは、上記スピーカの背面音圧を所定の位相状態で出力することが可能となり、上記ハンドル部を利用したバスレフ効果を得ることができる。【選択図】  図１
2005051605.tif 000002
【特許請求の範囲】
【請求項１】
少なくともスピーカが備えられた本体部と、上記本体部に対して取り付けられたハンドル部とを有する音響装置において、
上記ハンドル部には内部空間が形成されると共に、所要部分に音抜け孔が形成され、
上記ハンドル部の内部空間は、上記本体部に形成されたスピーカ背面空間と連通されることを特徴とする音響装置。
【請求項２】
上記スピーカ背面空間と、上記ハンドル部の内部空間との連通を遮断又は連通面積を可変する連通制御機構が設けられたことを特徴とする請求項１に記載の音響装置。
【請求項３】
上記ハンドル部は、上記本体部に対して回動可能に取り付けられていると共に、
上記連通制御機構は、上記ハンドル部の回動に伴って、上記スピーカ背面空間と、上記ハンドル部の内部空間との連通を遮断又は連通面積を可変することを特徴とする請求項２に記載の音響装置。
【発明の詳細な説明】
【技術分野】
【０００１】
本発明は、例えばハンドル部を有して可搬性を有するように構成された音響装置に関するものである。
【背景技術】
【０００２】
音響装置として、例えばＣＤ（Compact Disc）や磁気テープカセット等のメディアに対する記録または再生が可能な記録・再生装置とスピーカ装置とが一体的に形成された、スピーカ一体型プレイヤ／レコーダが一般に普及している。
このようなスピーカ一体型のプレイヤ／レコーダには、本体部に対してハンドル部が取り付けられて、可搬性を有するように構成されたものがある。そして、このようなハンドル部は、主に持ち手部としての機能しか与えられていないのが一般的である。
【０００３】
なお、以下の特許文献には、このようなハンドル部に持ち手部以外の機能を与えるようにした構成が記載されている。
【特許文献１】特開平１１−１５２１４４
【発明の開示】
【発明が解決しようとする課題】
【０００４】
上記のようなプレイヤ／レコーダに取り付けられるハンドル部は、機器において比較的体積を占める部品であるが、上述のように持ち手部としての機能しか与えられないことから、通常は機器の持ち運び時以外には特に何の用途も持たず、その体積が有効的に使用されていないものであった。
このことから、上記のようなハンドル部に他の機能を与えることが、ハンドル部の体積の有効利用という点で好ましいといえる。
【課題を解決するための手段】
【０００５】
そこで、本発明では以上のような問題点に鑑み、音響装置として以下のように構成することとした。
すなわち、本発明の音響装置は、少なくともスピーカが備えられた本体部と、上記本体部に対して取り付けられたハンドル部とを有する音響装置において、上記ハンドル部には内部空間が形成されると共に、所要部分に音抜け孔が形成され、上記ハンドル部の内部空間は、上記本体部に形成されたスピーカ背面空間と連通されることを特徴とするものである。
【発明の効果】
【０００６】
上記のように、スピーカ背面空間がハンドル部の内部空間と連通されることによっては、ハンドル部に設けられた上記音抜け孔からは、上記スピーカ背面の音圧を所定の位相状態で出力することが可能となる。つまりこのとき、いわゆるバスレフ（バスリフレクス）効果を得ることができるものである。
従ってこのような本発明によれば、上記ハンドル部をバスレフのポートとしても有効的に利用できるようになる。
【０００７】
また、この際、上記スピーカ背面空間と、上記ハンドル部の内部空間との連通を遮断又は連通面積を可変する連通制御機構を設けるようにすれば、上記バスレフ効果を調整することができる。
【０００８】
さらに、このとき、上記ハンドル部を回動可能に取り付け、その回動に伴って上記スピーカ背面空間と、上記ハンドル部の内部空間との連通を遮断又は連通面積を可変するようにすれば、ハンドル部の回動という簡易な操作でバスレフ効果を調整することが可能となる。
【発明を実施するための最良の形態】
【０００９】
以下、発明を実施するための最良の形態のうちの１つ形態（以下、実施の形態とする）について説明していく。
図１、図２は、共に実施の形態の音響装置１の外観を例示する図であり、図１は、音響装置１の前面図であり、図２は、音響装置１を図１に示される矢印Ａ方向から見た場合の側面図である。
図１において、この場合の音響装置１は、図示するようなハンドル５が設けられ、例えばユーザによる持ち運びが可能に構成されている。そして、この音響装置１における、上記ハンドル５以外の部分は、本体部２とされ、この本体部２には、例えばＣＤ（Compact Disc）や磁気テープカセット等のメディアに対する記録または再生が可能な記録・再生装置等、音響再生に必要な部位が形成される。また、この本体部２の前面には、ユーザ操作のための操作ボタン等、ユーザインターフェースが形成される。
さらに、この本体部２に対しては、図のように左右対称にＬチャンネルスピーカ（Ｌスピーカ）２、Ｒチャンネルスピーカ（Ｒスピーカ）３が備えられ、ステレオ再生が可能に構成される。
【００１０】
また、この場合、本体部２においては、図中斜線で示すようにして上記Ｌスピーカ３の背面部が空洞化されて、第１のスピーカ背面空間２ａが形成されている。また、この本体部２において、上記Ｒスピーカ４の背面部も空洞化されて、同じく斜線で示すような第２のスピーカ背面空間２ｂが形成されている。
なお、図１及び図２においては、説明の便宜上、上記Ｌスピーカ３の背面部に形成される第１のスピーカ背面空間２ａと、上記Ｒスピーカ４の背面部に形成される第２のスピーカ背面空間２ｂとを透過して示しているものとする。
また、同様にこれらの図においては、次に説明する上記ハンドル５内部にそれぞれ形成される第１のハンドル側内部空間５ａと第２のハンドル側内部空間５ｂ、及びハンドル５と本体部２との取り付け部分も透過して示しているものとする。
【００１１】
図１において、ハンドル５は、内部が空洞化された上で、その内部における中央部分が図中Ｂと示すようにして間仕切りされることで、図中の斜線で示す第１のハンドル側内部空間５ａと、第２のハンドル側内部空間５ｂとが左右対称に形成されている。
後述するように、第１のハンドル側内部空間５ａは、ハンドル５におけるハンドル側取付部８が、本体部２側のハンドル取付部９に対して取り付けられることで、上記したスピーカ背面空間２ａと連通可能な状態となる。
また、第２のハンドル側内部空間５ｂとしても、図示するハンドル側取付部１０がハンドル取付部１１に対して取り付けられることで、スピーカ背面空間２ｂと連通可能な状態となる。
またこの場合、上記ハンドル側取付部８、１０が、本体部２側のハンドル取付部９、１１に対してそれぞれ取り付けられることによっては、後述するようにハンドル５は、図２の破線矢印により示すようにして、同図中実線矢印で示す前後方向に回動可能な状態となる。
【００１２】
その上で、ハンドル５においては、上記第１のハンドル側内部空間５ａ側であって、当該ハンドル５を上記のように後方から前方に起こした状態で前方を向く位置に対して、図１に示すようなバスレフ孔６が形成される。また、同様に第２のハンドル側内部空間５ｂ側に対しても、ハンドル５を起こした状態で前方を向く位置に、バスレフ孔７が形成されている。
【００１３】
ここで、本実施の形態では、上記したハンドル側取付部８、１０と、本体部２側のハンドル取付部９、１１を以下のような構造とすることにより、ハンドル５の回動状態に応じて、スピーカ背面空間５ａとハンドル側内部空間５ａとの連通部の面積と、スピーカ背面空間５ｂとハンドル側内部空間５ｂとの連通部の面積とを可変する、連通制御機構が実現される。
【００１４】
図３は、図１により示したハンドル側取付部１０と、本体部２側のハンドル取付部１１との取り付け状態を説明するための図である。なお、この図では、ハンドル５が最も後方に倒された状態での取り付け状態を示しているものとする。
図示するように、この場合のハンドル５の端部に対して形成されるハンドル側取付部１０としては、例えば略円形によるものとされる。そして、このようなハンドル側取付部１０においては、本体側との取付面が、図示するように略１／４周にわたって欠切されて、図のような略扇形によるハンドル側連通口１０ａが形成されている。
また、ハンドル側取付部１０の中心部には、図示するハンドル取付部１１におけるシャフト部１１ｂを挿通するための挿通口１０ｂが形成されている。
【００１５】
ハンドル取付部１１は、この図では便宜上単体で示しているが、実際には本体部２と一体的に形成されるか、または固定されているものである。
このハンドル取付部１１としても、例えば略円形とされ、この略円形部が略１／４周にわたって欠切されて略扇形の本体側連通口１１ａが形成されている。なお、確認のために述べておくと、この本体側連通口１１ａは、図１に示される第２のスピーカ背面空間２ｂと接するものである。
【００１６】
ここで、このように形成される本体側連通口１１ａと、先のハンドル側取付部１０に形成されるハンドル側連通口１０ａの位置関係としては、この図３に示すようにしてハンドル５が最後方まで倒された状態において、例えば略円形とされるハンドル側取付部１０における同一半円上で、上記本体側連通口１１ａとハンドル側連通口１０ａとが重ならないようにされているものとする。また、これと同時に、このようにハンドル５が最後方まで倒された状態において、ハンドル側連通口１０ａよりも、本体側連通口１１ａの方が、ハンドル５の前方への回動方向側に形成されるようにしておくものとする。
【００１７】
また、上記ハンドル取付部１１の中心部には、ハンドル５方向に突出したシャフト部１１ｂが形成され、このシャフト部１１ｂが、上記したハンドル側取付部１０の挿通口１０ｂに対して挿通されることで、このシャフト部１１ｂを基点としてハンドル５が回動可能となるようにされている。
つまりこれによって、先の図２の破線矢印により示すようにしてハンドル５が回動可能な状態となるように、本体部２に対してハンドル５が取り付けられるものである。
【００１８】
なお、この図ではハンドル側取付部１０と本体部２側のハンドル取付部１１との取り付け状態についてのみ説明したが、他方のハンドル側取付部８と本体部２側のハンドル取付部９との取り付け状態としても、この場合と同等のものとなることからここでの図示による説明は省略した。
【００１９】
図４は、先の図２と同様、音響装置１を図１に示される矢印Ａ方向から見た場合の側面図であって、この場合は特に本体部２とハンドル５との取り付け部分のみを抽出して示している。そしてこの図４においては、図４（ａ）〜図４（ｃ）により、ハンドル５の、最後方から最前方への回動の様子を示している。
先ず、図４（ａ）では、ハンドル５が最後方に倒された状態での、本体部２とハンドル５との取り付け部分の様子が示されている。
この図４（ａ）に示される状態では、先の図３においても説明したように、本体側連通口１１ａとハンドル側連通口１０ａとが重ならないようにされていることから、第２のスピーカ背面空間２ｂと第２のハンドル側内部空間５ｂとが連通していない状態となる。
【００２０】
そして、この図４（ａ）に示す状態から、次の図４（ｂ）に示すようにして、ハンドル５を前方に起した場合、本体側連通口１１ａに対して、ハンドル側連通口１０ａが重なるようにされる。
つまりこの場合、先の図３において説明したように、本体側連通口１１ａの方が、ハンドル５の前方への回動方向側に形成されるようにしていることから、このようにハンドル５を前方に起こすことによっては、本体側連通口１１ａに対して、ハンドル側連通口１０ａが重なるようになるものである。
そして、このように本体側連通口１１ａに対してハンドル側連通口１０ａが重った領域において、第２のスピーカ背面空間２ｂと第２のハンドル側内部空間５ｂとが連通する状態が得られるようになる。
【００２１】
さらに、図４（ｃ）に示すようにして、ハンドル５を最前方まで起こすと、本体側連通口１１ａに対して、ハンドル側連通口１０ａが完全に重なるようになり、第２のスピーカ背面空間２ｂと第２のハンドル側内部空間５ｂとが最大面積で連通する状態が得られるようになる。
なお、この場合も、上記図４（ａ）〜図４（ｃ）に示したハンドル５の回動状態の変化に応じては、一方のハンドル側取付部８とハンドル取付部９の側においても、第１のスピーカ背面空間２ａと第１のハンドル側内部空間５ａとについて、上記の説明と同等の連通状態が得られることから、ここでの図示による説明は省略した。
【００２２】
このようにして本実施の形態では、ハンドル５の回動状態に応じて、スピーカ背面空間２ａ、２ｂと、ハンドル側内部空間５ａ、５ｂとの連通部の面積が可変されるものとなる。
そしてこの際、上記ハンドル５の回動状態に応じて、スピーカ背面空間２ａ、２ｂと、ハンドル側内部空間５ａ、５ｂとが連通することによっては、Ｌスピーカ３、Ｒスピーカ４の背面音圧が、それぞれのスピーカ背面空間、連通口、ハンドル側内部空間、バスレフ孔を介して所定の位相状態により外部に出力されるものとなる。
つまり、これによって、ハンドル５を利用したバスレフ効果を得ることができ、この結果、ハンドル５をバスレフのポートとして有効的に利用することが可能となるものである。
【００２３】
また、この際、上記のようにハンドル５の回動状態に応じて、スピーカ背面空間２ａ、２ｂと、ハンドル側内部空間５ａ、５ｂとの連通部の面積が可変されるようになっていることから、上記バスレフ効果を調整することができることにもなる。
また、このとき、先の図４（ａ）に示したようにハンドル５を後方に倒しきった場合には、ハンドル側内部空間とスピーカ背面空間との連通を遮断することができ、バスレフ効果をオフとすることもできる。
【００２４】
さらにこの際、先の図１において説明したようにして、バスレフ孔６、７のそれぞれを、ハンドル５が最前方に起こされた際の前面となる位置に備えることによっては、よりバスレフ効果を得ることができることとなる。
【００２５】
ここで、上記実施の形態では、本発明を、ＣＤや磁気テープに対する記録または再生が可能な記録・再生装置とスピーカとが一体的に形成されたものに適用する例に挙げたが、この他、例えば次の図５に示すようにして、本発明をスピーカ装置単体に対して適用することもできる。
先ず、この図５に示す音響装置においても、図示するスピーカ装置２０側には、スピーカ背面部を空洞化してスピーカ背面空間を形成するようにしておく。そして、この場合のハンドル２１としても、内部を空洞化すると共に、その表面部の所要部分に対して、音抜け孔としての図のようなバスレフ孔２１ａを形成しておくようにする。
その上で、これらスピーカ背面空間とハンドル側内部空間とが連通可能となるように、上記スピーカ装置２０に対して上記ハンドル２１を取り付けるようにするものである。
これにより、スピーカ装置２０に対して持ち手部としてのハンドル２１を設けることができると同時に、このハンドル２１を利用したバスレフ効果も得ることができるようになる。
【００２６】
なお、実施の形態では、ハンドル５が回動可能に取り付けられる例を挙げたが、本発明においては、このようなハンドル５が回動不能に固定される構成も考えられる。
【００２７】
また、上記実施の形態のように、ハンドル５の回動状態に応じてスピーカ背面空間とハンドル側内部空間との連通部分の面積を可変するのではなく、本体部２とハンドル５との取り付け部分において、連通部分を開閉するスライダ等を別途設けるようにし、これによってスピーカ背面空間とハンドル側内部空間との連通部分の面積を可変する構成とされてもよい。
また、単にスピーカ背面空間とハンドル側内部空間との連通状態の遮断／非遮断が可能な構成とされてもよい。
【図面の簡単な説明】
【００２８】
【図１】本発明における、実施の形態としての音響装置の前面図である。
【図２】実施の形態の音響装置の側面図である。
【図３】実施の形態の音響装置における、ハンドル部と本体部との取り付け状態を説明するための図である。
【図４】実施の形態の音響装置における側面図であって、特にハンドル部と本体部の取り付け部分を抽出して示した図である。
【図５】実施の形態の他の構成例を示した図である。
【符号の説明】
【００２９】
１  音響装置、２  本体部、２ａ  第１のスピーカ背面空間、２ｂ  第２のスピーカ背面空間、３  Ｌスピーカ、４  Ｒスピーカ、５  ハンドル、５ａ  第１のハンドル側内部空間、５ｂ  第２のハンドル側内部空間、６、７  バスレフ孔、８、１０  ハンドル側取付部、９、１１  ハンドル取付部、１０ａ  ハンドル側連通口、１０ｂ  挿通口、１１ａ  本体側連通口、１１ｂ  シャフト部
【図１】
2005051605.tif 000003
【図２】
2005051605.tif 000004
【図３】
2005051605.tif 000005
【図４】
2005051605.tif 000006
【図５】
2005051605.tif 000007